(57)【要約】  本発明は、紡績中断後に空気紡績装置を作動させるための方法、糸ガイド通路、およびこのような糸ガイド通路を含む空気紡績機に関する。スライバ走行方向において空気紡績装置の上流に、スライバをドラフトするためのドラフト装置が配置されていて、かつ下流に、空気紡績装置を用いて紡績された糸を引き出すための、個別モータによって駆動可能な糸引出し装置が配置されている。本発明によれば、紡績中断後に、紡績された糸の、巻取りボビンに巻き取られた糸端部を、吸込みノズルを用いて回収し、かつスライバ走行方向において空気紡績装置の下流に配置された糸端部準備装置に移送し、糸端部を、糸端部準備装置において処理し、かつ次いで紡績コーンの出口開口の領域に引き渡し、糸端部を、紡績コーンの入口開口に空気圧によって搬送し、かつそこで空気紡績装置の内部において入口開口の上流に間隔をおいて位置決めし、該当する作業ユニットのドラフト装置を起動し、かつこのときスライバを、ノズルブロックのスライバガイドを通して、紡績コーンの入口開口の領域に搬送し、かつそこで紡績された糸の準備された糸端部に糸継ぎする。
2020527197.tif 000002
【特許請求の範囲】
【請求項１】
紡績中断後に空気紡績装置（５）を作動させるための方法であって、スライバ走行方向（Ｒ）において前記空気紡績装置（５）の上流に、スライバ（２５）をドラフトするためのドラフト装置（４）が配置されていて、かつ下流に、前記空気紡績装置（５）を用いて紡績された糸（３６）を引き出すための、個別モータによって駆動可能な糸引出し装置（６）が配置されている、方法において、
紡績中断後に、前記紡績された糸（３６）の、巻取りボビン（９）に巻き取られた糸端部（３７）を、吸込みノズル（３９）を用いて回収し、かつ前記スライバ走行方向（Ｒ）において前記空気紡績装置（５）の下流に配置された糸端部準備装置（４０）に移送し、
前記糸端部（３７）を、前記糸端部準備装置（４０）において処理し、かつ次いで紡績コーン（１９）の出口開口の領域に引き渡し、
前記糸端部（３７）を、個別モータによって反転可能に駆動される糸引出し装置（６）を用いて、前記紡績コーン（１９）の入口開口（３５）に搬送し、かつそこで前記空気紡績装置（５）の内部において前記入口開口（３５）の上流に間隔をおいて位置決めし、
該当する作業ユニット（２）の前記ドラフト装置（４）を起動し、かつ前記スライバ（２５）を、ノズルブロック（１７）のスライバガイド（１８）を通して、前記紡績コーン（１９）の前記入口開口（３５）の領域に搬送し、そこで前記紡績された糸（３６）の準備された前記糸端部（３７）に糸継ぎする
ことを特徴とする、方法。
【請求項２】
前記紡績された糸（３６）の、前記巻取りボビン（９）に巻き取られた前記糸端部（３７）を、それぞれ空気紡績機のそれぞれの前記作業ユニット（２）の構成部分である吸込みノズル（３９）を用いて回収する、
請求項１記載の方法。
【請求項３】
前記紡績された糸（３６）の、前記巻取りボビン（９）に巻き取られた前記糸端部（３７）を、空気紡績機の多数の作業ユニットを取り扱う走行可能なサービスアセンブリ（１０）の構成部分である吸込みノズル（３９）を用いて回収する、
請求項１記載の方法。
【請求項４】
前記糸端部準備装置（４０）は、前記紡績された糸（３６）の前記糸端部（３７）を糸継ぎ工程のために準備するための保持兼解撚管（３１）を有している、
請求項１記載の方法。
【請求項５】
前記該当する作業ユニット（５）の、前記スライバ（２５）をドラフトする前記ドラフト装置（４）は、個別モータによってかつ特に反転可能に駆動可能である、
請求項１記載の方法。
【請求項６】
紡績装置（５）と、巻取り機（１）の、巻取りボビン（９）を形成する巻取り装置との間に配置するための糸ガイド通路（６０；９０）、特に請求項１から５までのいずれか１項記載の方法を実施するための糸ガイド通路（６０；９０）であって、当該糸ガイド通路（６０；９０）は、前記紡績装置（５）と前記巻取り装置との間において延びる糸（３６）を通過案内するための貫通通路を形成している、
糸ガイド通路（６０；９０）において、
当該糸ガイド通路（６０；９０）は、互いに連結可能で空気供給可能な複数の通路部分（６２，６４，６６；９２，９４，９６）を有していて、該通路部分（６２，６４，６６；９２，９４，９６）は、少なくとも１つの第１の通路部分（６２；９２）、第２の通路部分（６４；９４）、および前記第１の通路部分（６２；９２）と前記第２の通路部分（６４；９４）との間に配置された通路接続部分（６６；９６）を含んでおり、前記通路接続部分（６６；９６）は、前記第２の通路部分（６４；９４）における空圧的な吸込み作用を伴って、前記第１の通路部分（６２；９２）において空気正圧を生ぜしめるために、当該糸ガイド通路（６０；９０）に圧縮空気を供給するための流入部（６８；９８）を含んでいる
ことを特徴とする、糸ガイド通路（６０；９０）。
【請求項７】
当該糸ガイド通路（６０；９０）、特に前記通路接続部分（６６）は、前記糸（３６）を変向させるための糸変向部分（６７）を有している、
請求項６記載の糸ガイド通路（６０）。
【請求項８】
前記流入部（６８）の貫通軸線が、前記第１の通路部分（６２）の糸ガイド軸線に平行に、特に一致して、かつ前記第２の通路部分（６４）の糸ガイド軸線に対して横方向に延びている、
請求項７記載の糸ガイド通路（６０）。
【請求項９】
前記糸ガイド通路（６０；９０）は、前記紡績機（１）の作業ユニット（２）のハウジング部分またはフレーム部分（１００）に当該糸ガイド通路（６０；９０）を固定するための固定部分を有しており、前記固定部分は、特に、少なくとも１つの糸変向部分（６７）を収容するためのハウジング（７０）を形成している、
請求項６から８までのいずれか１項記載の糸ガイド通路（６０；９０）。
【請求項１０】
糸端部（３７）を準備するための、少なくとも１つの保持兼解撚管（３１）を備えた糸端部準備装置（４０）が設けられており、前記保持兼解撚管（３１）は、当該糸ガイド通路（６０；９０）の、巻取りボビン（９）に近い方の端部（６４Ｂ）に配置されているか、または形成されている、
請求項６から９までのいずれか１項記載の糸ガイド通路（６０；９０）。
【請求項１１】
前記保持兼解撚管（３１）は、第２の通路部分（６４；９４）を形成している、
請求項１０記載の糸ガイド通路（６０；９０）。
【請求項１２】
当該糸ガイド通路（６０；９０）の、前記紡績装置（５）に近い方の端部（６２Ｂ）が、ノズル状に形成されているか、またはノズル状に形成されたエレメント（７４）に隣接している、
請求項６から１１までのいずれか１項記載の糸ガイド通路（６０；９０）。
【請求項１３】
当該糸ガイド通路（６０；９０）の、前記紡績装置（５）に近い方のノズル状に形成された端部（６２Ｂ）、もしくはノズル状に形成されたエレメント（７４）が、前記紡績装置（５）に通じる糸ガイドホッパ（７６，７７，７８）のホッパ入口（７６）に対して間隔をおいて配置されており、前記間隔は、前記糸ガイド通路（６０；９０）もしくはノズル状の前記エレメント（７４）の、前記紡績装置（５）に近い方の端部から進出する糸端部（３７）が、前記通路接続部分（６６；９６）において生ぜしめられた圧縮空気を用いて少なくとも前記ホッパ入口（７６）に、かつ特に追加的に、前記ホッパ入口（７６）に接続していて前記ホッパ入口（７６）に対して間隔をおいて配置された少なくとも１つの糸貫通部（７７；７８）に案内可能であるように選択されている、
請求項１２記載の糸ガイド通路（６０；９０）。
【請求項１４】
空気紡績機（１）であって、
供給されたスライバ（３５）から糸（３６）を紡績するための空気紡績装置（５）、
前記空気紡績装置（５）から前記糸（３６）を引き出すための、個別モータによって駆動可能な糸引出し装置（６）、および
紡績された前記糸（３６）を巻き取るための巻取り装置
を含んでいる、空気紡績機（１）において、
請求項６から１３までのいずれか１項記載の糸ガイド通路（６０；９０）が、前記空気紡績装置（５）と、下流に配置された巻取り装置との間、特に前記空気紡績装置（５）と、前記巻取り装置の上流に配置された、個別モータによって駆動可能な糸引出し装置（６）との間に配置されており、前記糸引出し装置（６）は追加的に、前記空気紡績装置（５）の方向に前記糸（３６）を供給するために、反転駆動可能に設計されていて、かつ相応に駆動制御可能である、
ことを特徴とする、空気紡績機（１）。
【請求項１５】
当該空気紡績機（１）は、スライバ（３５）を確定してドラフトしかつ供給するための、個別モータによって駆動可能なドラフト装置（４）を有しており、前記ドラフト装置（４）の駆動装置は、前記糸引出し装置（６）の駆動装置とは無関係に駆動制御可能である、
請求項１４記載の空気紡績機（１）。
【発明の詳細な説明】
【技術分野】
【０００１】
本発明は、一方では、紡績中断後に空気紡績装置を作動させるための方法に関する。スライバ走行方向において空気紡績装置の上流に、スライバをドラフトするためのドラフト装置が配置されていて、かつ下流に、空気紡績装置を用いて紡績された糸を引き出すための、個別モータによって駆動可能な糸引出し装置が配置されている。
【０００２】
他方において本発明は、紡績装置と、例えば空気紡績機のような繊維機械の、巻取りボビンを形成する巻取り装置との間に配置するための糸ガイド通路、およびこのような空気紡績機に関する。糸ガイド通路は、特に方法を実施するために適しており、このとき糸ガイド通路は、紡績装置と巻取り装置との間において延びる糸を通過案内するための貫通通路を形成している。
【０００３】
繊維工業においては、テキスタイル糸の製造との関連において、種々様々な方法および紡績装置が公知である。例えばリング精紡機および／またはオープンエンドロータ紡績機が、ずっと以前から周知されていて、かつ極めて優良であることが判明している。さらに、特に合成糸材料の加工との関連において、いわゆる空気紡績機も公知である。
【０００４】
上に挙げた紡績方法もしくは所属の紡績方法は、特許文献において、また数多くの特許明細書においても、かなり詳しく記載されている。
【０００５】
独国特許発明第４０３６１１９号明細書には、例えば空気紡績機の空気紡績装置が記載されており、この空気紡績装置は、入口側に配置されたノズルブロックと、下流に配置された回転可能に支持された中空の紡績スピンドルとを有している。このときノズルブロックは、回転する空気流を生ぜしめるための空気吹込みノズルの他に、さらにスライバガイドを有しており、このスライバガイドは、供給されるスライバのために、撚り止めとして作用する。
【０００６】
空気吹込みノズルによって生ぜしめられた回転する空気流は、紡績プロセス中に、ノズルブロックの繊維入口開口の領域において吸込み流を生ぜしめ、この吸込み流は、空気紡績装置内への、上流に配置されたドラフト装置においてドラフトされたスライバの導入を促進する。すなわち空気紡績装置内に導入されたスライバは、ノズルブロックを通って、紡績プロセス中に回転する、駆動ベルトによって作動させられる中空の紡績スピンドルの入口開口に達する。
【０００７】
回転する紡績スピンドル内へのスライバの進入時に、自由な繊維端部は、回転する空気流を用いて、回転する紡績スピンドルの円錐形状に形成されたスピンドルヘッドの周りに巻き付けられ、かつスピンドルへの糸の引込み中に、いわゆる芯繊維の周りに螺旋形状に巻き付く。すなわち紡績プロセス中に、芯繊維は、いわゆる巻付き繊維と一緒に新しい糸を形成する。
【０００８】
回転する空気流を用いて糸を製造するための同等の装置は、独国特許出願公開第１９９２６４９２号明細書によっても公知である。しかしながらこの公知の空気紡績装置は、回転可能に支持された紡績コーンではなく、不動の紡績コーンを有している。
【０００９】
この空気紡績装置においても、紡績すべきスライバは、ノズルブロック内に配置されたスライバガイドを介して空気紡績装置内に導入され、かつ不動に配置された中空の紡績コーンの入口開口内に達する。
【００１０】
上において既に独国特許発明第４０３６１１９号明細書との関連において記載されたように、この公知の装置においてもスライバは、紡績コーンの入口開口の領域において、ノズルブロックに配置された空気吹込み開口を通して生ぜしめられる回転する空気流にさらされる。回転する空気流は、スライバの自由な繊維端部を、公知のように、紡績コーンのヘッドの周りに位置させ、かつさらに空気紡績装置内へのスライバの導入を促進する。この公知の空気紡績装置においても、自由な繊維端部は、いわゆる巻付き繊維として芯繊維の周りに螺旋形状に巻き付き、このとき糸を形成する。
【００１１】
このような空気紡績装置において、例えば供給されたスライバの裂断に基づいて、または紡績された糸が、糸クリアラによるコントロールされた切断によって切り離されたことに基づいて、紡績プロセスが中断すると、紡績中断を解消するために働く後続の糸継ぎ工程中に、まず、既に紡績された、通常所属の綾巻きボビンに巻き取られた糸の糸端部を呼び戻し、かつ空気紡績装置を通してドラフト装置の領域にまで搬送することが必要である。このとき空気紡績装置の内部における搬送媒体としては、糸の作動時における搬送方向とは逆向きの空気流がしばしば使用される。
【００１２】
独国特許出願公開第１０２０１１０５３８１０号明細書には、例えば、搬送媒体が圧縮空気源によって生ぜしめられる空気紡績装置が記載されている。この公知の空気紡績装置では、圧縮空気は、空気紡績装置の紡績コーン内に組み込まれたインジェクション通路を通って流れ、このインジェクション通路は、例えば紡績コーンの糸引出し通路内に開口している。すなわち空気紡績装置による糸端部の戻し搬送のためには、インジェクション通路に圧縮空気が供給され、この圧縮空気は、紡績コーンの糸引出し通路において、ドラフト装置の方向に向けられた吸込み空気流を生ぜしめ、この吸込み空気流は、作業ユニットの綾巻きボビンから呼び戻された糸の糸端部を、空気紡績装置の上流に配置されたドラフト装置の供給ローラ対へと搬送する。
【００１３】
空気紡績装置の紡績コーン内に組み込まれたこのようなインジェクション通路は、確かに、実に良好な機能確実性によって傑出しているが、しかしながら紡績コーン内に組み込まれたこのようなインジェクション通路の製造は、製造技術的に比較的要求が多く、ひいてはかなりコストが掛かる。
【００１４】
回転する空気流を用いて糸を製造するための空気紡績装置は、独国特許出願公開第１０２００７００９０７４号明細書にも記載されている。この空気紡績装置もまた、紡績ハウジング内に配置された中空の紡績コーンと、回転する空気流を生ぜしめるための、圧縮空気供給可能なノズルブロックとを有している。しかしながらこの公知の空気紡績装置の紡績ハウジングは、さらに、排気通路を備えた拡大室を有している。糸継ぎ工程のために、排気通路には圧縮空気源が接続可能であり、これに対してノズルブロックは、同時に圧縮空気供給部から切離し可能である。すなわち、排気通路を介して紡績ハウジング内に吹き込まれる圧縮空気によって、拡大室内において空気流が生ぜしめられ、この空気流は、紡績コーンに沿って、ノズルブロック内に配置されたスライバガイドの方向に流れる。これによって紡績コーンの入口開口の領域においては吸込み作用が発生し、この吸込み作用によって、糸は紡績方向とは逆向きに紡績コーンを貫いて搬送可能である。
【００１５】
すなわち、独国特許出願公開第１０２００７００９０７４号明細書に記載された空気紡績装置は、拡大室が、紡績プロセス中にノズルブロックを介してもたらされた圧縮空気を排出するために、排気通路を有していて、この排気通路が、糸継ぎ工程との関連において追加的にインジェクタノズルとして使用可能であるという事情を利用している。このような空気紡績装置の製造は、全体として比較的簡単であり、ひいては安価である。
【００１６】
上に記載された空気紡績装置を備えた空気紡績機は、特に合成糸材料を加工する場合に、比較的良好な効率を有している。しかしながら公知の空気紡績装置において紡績中断後の再糸継ぎとの関連において使用される方法は、ドラフトされたスライバと既に製造された糸とを再び結合するために、かなり改善の余地がある。
【００１７】
欧州特許出願公開第１０７２７０２号明細書に従来技術として例として記載されている空気紡績装置では、紡績中断後に、既に紡績された糸の糸端部が、搬送アームを用いて、スピンドルと呼ばれる紡績コーンの出口開口の近傍に搬送される。次いで糸は、糸走行方向において空気紡績装置の上流に位置決めされている吸込みエレメントによって吸い込まれる。すなわち糸は、紡績プロセス中に通常の糸走行方向とは逆向きに紡績コーンを通して搬送され、かつ吸込みエレメント内に吸い込まれる。吸込みエレメント内には、ドラフト装置において加工されてドラフト装置から進出するスライバもまた吸い込まれ、かつ吸込みエレメント内において糸と交絡させられる。互いに交絡させられた両繊維エレメントは、次いで最終的な結合のために、空気紡績装置の紡績コーン内に吸い込まれる。
【００１８】
しかしながらこの公知の方法では、糸継ぎのための準備段階中に頻繁にエラーが発生し、これらのエラーは、糸継ぎの形成を邪魔するか、またはそれどころか阻止する。この公知の方法の別の欠点としては、糸とスライバとの間における結合部を含む糸部分が、明らかに認識できるほど、残りの糸よりも太いということがある。このような太い箇所は、例えば織布である最終製品において、しばしば不都合を生ぜしめるので、このような太い箇所は、重大な品質欠陥である。
【００１９】
紡績中断後に、紡績された糸にドラフトされたスライバを結合するための同等の方法は、独国特許出願公開第１０３３５６５１号明細書にも記載されている。
【００２０】
この公知の方法では、紡績中断後に、紡績された糸は、まず後方に、つまり紡績プロセス中に通常の糸走行方向とは逆向きに、空気紡績装置の下流に配置された定置の引出しローラ対および空気紡績装置を通して、空気紡績装置の上流に設置された同様に定置のドラフト装置に搬送される。次に糸端部は、設定可能な長さで、ドラフト装置の、開放された出口ローラ対の間に位置決めされ、かつ糸端部が準備される。次いでドラフト装置の出口ローラ対は閉鎖され、ドラフト装置および引出しローラ対は始動させられ、これによって糸の、準備された糸端部は、スライバ内にローラによって押し込まれ、スライバに結合される。
【００２１】
この公知の接合方法においても、残りの糸よりも太く、ひいてはかなりの品質欠陥である結合箇所が発生する。
【００２２】
空気紡績装置の再糸継ぎ時におけるこのようなエラーの発生を最小にするために、さらに、空気紡績装置の糸継ぎ時に補助糸を用いて作業を行うことが既に提案されている。
【００２３】
例えば独国特許出願公開第１０２００５０２２１８７号明細書に記載されたこのような方法では、空気紡績装置内への補助糸の導入は２段階で行われる。第１段階において補助糸は、インジェクタ流を用いてまず上流からノズルブロックのスライバ通路を通して搬送され、かつ次いで第２段階において空気紡績装置の紡績コーン内に導入され、このとき紡績コーン内への補助糸の導入は、紡績コーンへの負圧供給によって行われ、この負圧は、紡績コーンの出口開口の領域に位置決めされている吸込み装置によって生ぜしめられる。
【００２４】
この方法を実施するために使用される空気紡績装置は、シフト可能に支持された２つの構造コンポーネントから成っており、これらの構造コンポーネントは、ノズルブロックのスライバ通路内への補助糸の導入中に、かつ紡績コーン内への補助糸の導入時に、互いに幾分間隔をおいて位置決めされている。すなわち補助糸は、それぞれ手によって捕捉されて、ノズルブロックもしくは紡績コーン内に問題なく導入することができる。補助糸の導入後に、空気紡績装置は閉鎖され、糸継ぎ工程が開始される。このときドラフト装置においてドラフトされたスライバは、補助糸にローラによって押し付けられ、かつ補助糸と共に空気紡績装置を通して確実に搬送され、このとき新しい糸が形成される。次いで補助糸と補助糸／スライバの結合箇所とは、再び除去され、かつ新しい糸は、糸スプライシング装置を用いて、本来の糸とほぼ等しく、綾巻きボビンから呼び戻された上糸に結合される。
【００２５】
独国特許出願公開第１０２００５０２２１８７号明細書に記載された方法によって、糸継ぎ工程を空気紡績装置によってより確実に行うことができ、かつ品質的に良好な糸継ぎ箇所を形成することができる。しかしながらこの方法においても、上に記載された方法を好適に使用することができるようにするために必要な、作業ユニットにおける構造上のコストは、かなり高い。
【００２６】
例として上に記載された空気紡績装置を出発点として、本発明によって、紡績中断後に、品質的に改善された新しいピーサ（Anspinner）の形成が、市販の空気紡績装置の使用下で可能になり、このとき所属の空気紡績装置がその構造上のコストに関して特に可能な限り安価に保たれていて、かつ確実に機能する可能性を提供することが望まれている。
【００２７】
本発明の第１の態様によれば、そのために空気紡績装置を作動させるための方法であって、スライバ走行方向において空気紡績装置の上流に、スライバをドラフトするためのドラフト装置が配置されていて、かつ下流に、空気紡績装置を用いて紡績された糸を引き出すための、個別モータによって駆動可能な糸引出し装置が配置されている、方法が提案される。提案された方法によれば、紡績中断後に、紡績された糸の、一般的に綾巻きボビンと呼ばれる巻取りボビンに巻き取られた糸端部を、吸込みノズルを用いて回収し、かつスライバ走行方向において空気紡績装置の下流に配置された糸端部準備装置に移送する。糸端部準備装置において、糸端部を処理し、かつ次いで紡績コーンの出口開口の領域に引き渡し、この領域から糸端部を、個別モータによって駆動可能な糸引出し装置であって、そのために本発明によれば反転駆動可能に設計された糸引出し装置を用いて、紡績コーンの入口開口に搬送し、かつそこで空気紡績装置の内部において入口開口の上流に間隔をおいて位置決めする。次いで、該当する作業ユニットのドラフト装置を起動し、かつこのときスライバを、ノズルブロックのスライバガイドを通して、紡績コーンの入口開口の領域に搬送し、かつそこで紡績された糸の準備された糸端部に糸継ぎする。
【００２８】
提案された方法の好適な構成は、従属請求項の対象である。
【００２９】
提案された方法は、特に、空気紡績装置におけるコストの掛かる新しい開発を前もって必要とすることなしに、この方法を効果的に使用することができるという利点を有している。すなわち繊維機械構造に基づいて以前から公知で、かつ優良であることが判明している構造エレメント、つまり個別モータによって駆動可能な糸引出し装置、吸込みノズル、および／または保持兼解撚管のような構造エレメントの使用によって、公知の空気紡績装置の比較的簡単かつ僅かな変更を伴うだけで、比較的簡単な形式で、提案された方法の問題のない実施を可能にする、確実で安価な空気紡績装置を形成することができる。
【００３０】
このときさらに提案された方法によって、糸継ぎ時に形成されたスライバ／糸結合部が、公知の方法の同等の結合部に対して品質的に改善されているということを保証することができる。
【００３１】
好適な実施形態では、紡績されたもしくは完成した糸の、紡績中断後に巻取りボビンに巻き取られた糸端部を、それぞれ空気紡績機の作業ユニットのそれぞれの作業ユニットの構成部分である吸込みノズルを用いて回収する。
【００３２】
しかしながら択一的に好適な実施形態では、巻取りボビンに巻き取られた糸端部を、空気紡績機の多数の作業ユニットを手掛ける走行可能なサービスアセンブリの構成部分である吸込みノズルを用いて回収することも提案されていてよい。
【００３３】
このときそれぞれの作業ユニットに作業ユニット固有の吸込みノズルが配置されている好適な実施形態は、このような構造によって不要な待機時間を確実に回避することができ、このことが空気紡績機の効率にポジティブな影響を及ぼすという利点を有している。すなわち紡績機において複数の作業ユニットで同時に紡績中断が生じた場合でも、それぞれ該当する作業ユニットの吸込みノズルによって、巻取りボビンに巻き取られた糸を常に直ちに、空気紡績装置に呼び戻し、準備し、かつ次いで遅延なしに作業ユニットにおける糸継ぎ工程を開始することができる。
【００３４】
吸込みノズルが、空気紡績機の多数の作業ユニットを手掛ける走行可能なサービスアセンブリの構成部分であると、これによって極めて安価な装置が得られる。しかしながらこのような場合には、１つの作業ユニットが長い時間手掛けられないままになるというおそれが生じることがある。なぜならば、サービスアセンブリはなお、同様に糸継ぎ工程を実施する必要がある他の作業ユニットにおいて使用中だからである。
【００３５】
さらに別の好適な実施形態では、糸継ぎ工程のための糸端部の準備を行う糸端部準備装置は、紡績された糸の糸端部を糸継ぎ工程のために準備するためのいわゆる保持兼解撚管を有している。例えば独国特許出願公開第３５１８３１６号明細書または独国特許出願公開第１０２０２７８１号明細書にかなり詳しく記載されているこのような保持兼解撚管は、以前から公知の、繊維機械構造において優良であることが判明している部材である。
【００３６】
方法の別の利点が、別の好適な実施形態において与えられており、この実施形態では、スライバを確定して供給できるようにするために、作業ユニットのドラフト装置は、個別モータによって駆動可能である。さらに好ましくは、ドラフト装置は反転駆動可能であり、これによって必要な場合に、スライバ供給の変更、もしくは供給されたスライバの確定された引戻しを可能にすることができる。スライバのこのような確定された供給によって、一方ではスライバがまず比較的慎重に糸の準備された糸端部に接近させられて、この糸端部と結合されることを、かつ他方では所定の作動時間後に、言い換えればある一定の慣らし運転段階後に、空気紡績装置が再び通常の作業速度で製造することができることを、保証することができる。ドラフト装置および糸引出し装置の駆動は、好ましくは、互いに無関係に、例えば紡績機の中央制御装置を介して、または作業ユニット毎の固有の制御装置を介して制御可能であり、これによって、この両装置の、効果的でかつ必要に応じた共働を可能にすることができる。
【００３７】
本発明の第２の態様によれば、好適な実施形態のうちの１つの実施形態による、特に上に記載された方法を実施するために、紡績装置と、例えば空気紡績機のような紡績機の、巻取りボビンを形成する巻取り装置との間に配置するための糸ガイド通路が提案され、このとき糸ガイド通路は、紡績装置と巻取り装置との間において延びる糸を通過案内するための貫通通路を形成している。糸ガイド通路は、互いに連結可能で空気圧供給可能な複数の通路部分を有していて、該通路部分は、少なくとも１つの第１の通路部分、第２の通路部分、および第１の通路部分と第２の通路部分との間に配置された通路接続部分を含んでおり、このとき通路接続部分は、第２の通路部分における空気圧による吸込み作用を伴って、第１の通路部分において空気正圧を生ぜしめるために糸ガイド通路に圧縮空気を供給するための流入部を含んでいる。第１の通路部分、第２の通路部分、および通路接続部分は、それぞれ個々のエレメントから形成されていても、またはまとめられた複数のエレメントから形成されていてもよい。それとは択一的にまたは追加的に、これらの部分のうちの少なくとも１つが、糸ガイド通路の少なくとも１つの別の部分との関連において、一体の統合された部材から形成されていてもよい。さらに択一的に、これらの部分のうちの少なくとも２つの部分が、一体の統合された部材から形成されていてよい。
【００３８】
言い換えれば糸ガイド通路は、紡績装置と巻取り装置との間の、特に紡績装置と、通常紡績装置の下流に配置されている糸引出し装置との間の確定された領域に配置され得るように構成されており、このように構成されていると、これらの装置の間において延びている糸走路の少なくとも一部分は、糸ガイド通路を貫いて延びている。本発明の第１の態様による上に記載された方法に関して、好ましくは、糸ガイド通路の使用下で、紡績コーンの出口開口の領域への処理された糸端部の引渡しのステップと共に、糸端部を、糸ガイド通路を通して紡績コーンの出口開口の領域に引き渡す。糸端部の引渡しは、好ましくは個別モータによって反転可能に駆動される糸引出し装置を用いて行うことができる。
【００３９】
通路接続部分に配置された流入部は、好ましくは特に、糸ガイド通路に挿入された糸端部を空気圧によって自動的に導くことを可能にする。流入部は、好ましくは孔としてまたはリング間隙として形成されていてよい。これによって第１および第２の通路部分の配置形態に依存して、挿入された糸端部を、紡績装置の方向かまたは巻取り装置の方向に空気圧によって導くことができる。
【００４０】
好適な実施形態によれば、紡績装置の下流には、スライバ走行方向と同一の糸走行方向において、まず第１の通路部分が、次いで通路接続部分が、かつその後で第２の通路部分が配置されている。したがってこの好適な実施形態では、糸継ぎ工程中に、第２の通路部分内に挿入されている糸端部を、第１の通路部分を介して紡績装置の方向に空気圧によって導くことができる。
【００４１】
択一的に好適な実施形態によれば、紡績装置の下流に、糸走行方向において、まず第２の通路部分が、次いで通路接続部分が、かつその後で第１の通路部分が配置されていてよい。このように構成されていると、この好適な実施形態では、スプライシング工程中に、第２の通路部分に挿入されている糸端部を、第１の通路部分を介して巻取り装置の方向に空気圧によって導くことができる。これによって、さらに好ましくは、糸ガイド通路と巻取り装置との間に、例えば巻取り機の技術分野に基づいて以前から公知の、２つの糸端部を結合するためのスプライシング装置が設けられていてよい。このときさらに好適な実施形態によれば、スプライシング装置は、紡績機の複数の作業ユニットを取り扱う１つのサービスアセンブリに設けられても、または作業ユニット毎に設けられてもよい。そのために、糸ガイド通路から導かれた糸端部をスプライシング装置にもたらすための単に１つの装置が付加的に設けられてよく、この装置は、例えば同様に巻取り機の技術分野に基づいて公知のグリッパ管である。このような好適な実施形態を用いて、糸切れの場合に糸継ぎプロセス（Anspinnprozess）を思いとどまることができ、かつ糸継ぎ（Fadenverbindung）を、スプライシング結合を用いて実施することが可能になる。
【００４２】
択一的に好適な実施形態によれば、糸ガイド通路、好ましくは通路接続部分は、第２の流入部を有しており、この第２の流入部は、第１の流入部に抗して作用し、圧縮空気が糸ガイド通路内に、第１の通路部分の代わりに第２の通路部分において空気正圧を生ぜしめるために、第２の通路部分の代わりに第１の通路部分において空気圧による吸込み作用を伴って供給されるようになっている。本発明の意味では、以下において第１の通路部分というのは、対応配置された流入部を介した圧縮空気の供給によって、空気正圧が生ぜしめられる、糸ガイド通路の通路部分のことを意味している。相応に第２の通路部分というのは、対応配置された流入部もしくは別の流入部を介した圧縮空気の供給によって、吸込み作用が生ぜしめられる、糸ガイド通路の通路部分のことを意味している。したがって糸ガイド通路の同一の通路部分が、流入部または別の流入部を介した圧縮空気の供給に依存して、第１または第２の通路部分を形成する。そのために第１の流入部および第２の流入部は、好ましくは、必要に応じて制御されて圧縮空気が供給可能であるように設計されている。このような好適な実施形態によって、糸切れの場合に必要に応じて、糸継ぎプロセスとスプライシング結合との間で選択を行うことができる、装置を提供することができる。この選択は、スライバ裂断もしくは糸裂断の箇所に依存して糸継ぎプロセスが実施されるか、またはスプライシング結合が実施されるか、プログラム技術的にもしくは制御側において調節されるか、または調節可能であることができる。選択基準としては、もちろん繊維技術的に重要な別の基準を用いることができる。
【００４３】
別の好適な実施形態によれば、糸ガイド通路、特に通路接続部分は、糸を変向させるための糸変向部分を有している。このとき糸ガイド通路の１つの通路部分、特に第１の通路部分の貫通軸線は、通路部分もしくは第１の通路部分において延びている糸走路もしくは糸ガイド軸線に沿って延在している、糸変向部分の側において、糸ガイド通路の、糸変向部分の他方の側に配置された通路部分、特に第２の通路部分の相応の貫通軸線に対して、投影平面において横方向に、つまり１８０°とは異なる角度を成して延びている。これによって糸ガイド通路および全体的に紡績機を、糸ガイド通路の領域においてスペースを節減して構成することができる。
【００４４】
別の好適な形式では、流入部は、流入開口によって形成された貫通平面に対して垂直に延びている、流入部の貫通軸線が、糸ガイド軸線もしくは第１の通路部分の貫通軸線に平行に、さらに好ましくは一致して、かつ第２の通路部分の糸ガイド軸線に対して横方向に延びているように、設けられていてかつ糸ガイド通路を備えて形成されていてよい。このように構成されていると、正圧作用および吸込み作用をそれぞれの第１および第２の通路部分において、さもなくば生じる不都合な渦流を回避しながらもしくは低減することによって、効果的に生ぜしめることができる。さらに流入部と共働する圧縮空気接続部を、外側から問題なく接近可能に糸ガイド通路に配置すること、または糸ガイド通路を備えて形成することができる。
【００４５】
さらに糸ガイド通路は、好適な実施形態によれば、紡績機の作業ユニットのハウジング部分またはフレーム部分に糸ガイド通路を特に解離可能に固定するための固定部分を有していてよい。糸ガイド通路は、モジュラ式に紡績機に配置することができ、かつさらに好適な実施形態によれば、必要な場合にまた交換すること、もしくは取り外すことができる。
【００４６】
さらに好ましくは、固定部分は、少なくとも糸変向部分を収容するためのハウジングを形成しているか、またはこのようなハウジングに配置されている。このように構成されていると、糸ガイド通路を比較的コンパクトに構成することができる。例えばハウジングはさらに、流入部もしくは別の流入部に対応配置された圧縮空気接続部を有することができる。さらに好ましくは、ハウジングは、糸ガイド通路の、糸走行方向において紡績装置の最も近くに位置している通路部分に、場所を提供することができ、これによって、例えばＯリングまたはこれに類したもののような追加的なシール手段を減じることができ、かつ糸ガイド通路自体を構造的に比較的単純に構成することができる。
【００４７】
別の好適な実施形態によれば、糸端部を準備するための、少なくとも１つの保持兼解撚管を備えた糸端部準備装置が設けられており、このとき保持兼解撚管は、糸ガイド通路の、巻取りボビンに近い方の端部に配置されているか、または形成されている。保持兼解撚管は、以前から公知であり、したがって以下においては、保持兼解撚管の構成の詳細な記載について省くことができる。糸継ぎ工程中に糸端部は、通路接続部分内への進入前に、保持兼解撚管を用いてまず解撚され、もしくは準備され、かつ次いで、既に解撚されたもしくは準備された状態において紡績装置の方向に導かれることができる。
【００４８】
好ましくは、少なくとも１つの保持兼解撚管は、糸ガイド通路の１つの通路部分、特に
第２の通路部分を形成している。これによって糸ガイド通路を、比較的コンパクトにかつ構造的にさらに簡単化して構成することができる。このとき流入部は、さらに好ましくは、保持兼解撚管に隣接して配置されていてよい。これによって、単に糸端部を解撚もしくは準備するためにだけ設けられている圧縮空気接続部を節約することができる。なぜならば流入部を用いて、一方では、糸端部の解撚もしくは準備を伴って、保持兼解撚管内への糸端部の挿通を可能にすることができ、かつ他方では、第１の通路部分を介して紡績装置内へ準備された糸端部を空気圧によって導くことを可能にすることができるからである。このとき圧縮空気供給は、解撚プロセスおよび糸ガイド工程のために場合によっては種々様々に必要な圧縮空気強度を自動的に準備するために、好ましくは自動的に調整されていてよい。そのために必要な場合にさらに好ましくは、存在する圧縮空気強度を検出するための圧縮空気センサが、適宜に配置されていてよい。
【００４９】
さらに好ましくは、１実施形態によれば、糸ガイド通路の、紡績装置に近い方の端部が、ノズル状に形成されているか、またはノズル状に形成されたエレメントに隣接している。糸ガイド通路のノズル状の端部は、好適な実施形態によれば、糸走行方向において紡績装置の最も近くに位置している通路部分の相応の端部によって形成されていてよい。ノズル状のエレメントは、好ましくは、ノズル状のエレメントが挿入エレメントを形成していて、この挿入エレメントがさらに好ましくは糸ガイド通路において障害なしに挿入可能および取外し可能であるように形成されていてよい。このように構成されていると、糸ガイド通路自体を交換する必要なしに、製造すべき糸に相応して、適宜なノズル端部を、紡績装置の方向において糸端部を確定して空気圧によって案内するために使用することができる。
【００５０】
さらに好ましくは、糸ガイド通路の、紡績装置に近い方の端部、もしくはノズル状のエレメントが、紡績装置に通じる糸ガイドホッパのホッパ入口に対して間隔をおいて配置されており、このときこの間隔は、糸ガイド通路もしくはノズル状のエレメントの、紡績装置に近い方の端部から進出する糸端部が、通路接続部分において生ぜしめられた圧縮空気を用いて少なくともホッパ入口内に、案内可能であるように選択されている。このように構成されていると、糸端部を伴う圧縮空気は、糸ガイド通路からの進出時および紡績装置の領域への進入前に、その強さが適宜に弱められる、もしくはコントロールされることができる。好ましくは、紡績装置の方向においてホッパ入口には、少なくとも１つの別の糸貫通部が続いており、この別の糸貫通部の糸貫通部入口は、紡績装置の方向においてホッパ入口に続くホッパ出口に対して間隔をおいて配置されている。このように構成されていると、糸端部を伴う圧縮空気の強さを、必要に応じてコントロール可能なさらなる弱化を達成することができる。
【００５１】
本発明の第３の態様によれば、空気紡績機が提案され、この空気紡績機は、供給されたスライバから糸を紡績するための空気紡績装置、空気紡績装置から糸を引き出すための、個別モータによって駆動可能な糸引出し装置、および紡績された糸を巻き取るための巻取り装置を含んでいる。空気紡績機は、さらに、上に記載された好適な実施形態のうちの１つの実施形態による糸ガイド通路を有しており、このとき糸ガイド通路は、空気紡績装置と、下流に配置された巻取り装置との間、特に空気紡績装置と、巻取り装置の上流に配置された、個別モータによって駆動可能な糸引出し装置との間に配置されている。糸引出し装置は、空気紡績装置の方向に糸を供給するために、追加的に反転可能に、かつ相応に駆動制御可能に設計されている。択一的な実施形態によれば、糸引出し装置は、個別モータによって駆動可能な巻取り装置によって形成されていてよい。第３の態様によるこのような空気紡績機によって、上に記載された利点を同様に得ることができる。
【００５２】
次に本発明について、図面に示された実施例を参照しながら詳説する。
【図面の簡単な説明】
【００５３】
【図１】作業ユニットを備えた空気紡績機であって、作業ユニットが、その空気紡績装置を手掛けるためにそれぞれ作業ユニット固有の吸込みノズルおよび糸端部準備装置を有している、空気紡績機を示す正面図である。
【図２】走行可能なサービスアセンブリによって手掛けられる作業ユニットを備えた空気紡績機であって、このときサービスアセンブリが、綾巻きボビンに巻き取られた糸を回収するための吸込みノズルと糸端部準備装置とを有している、空気紡績機の択一的な実施形態を示す正面図である。
【図３】紡績作動中の空気紡績装置を概略的に示す断面図である。
【図４】糸継ぎ工程中における、図３に示された空気紡績装置を示す図である。
【図５】図１および図２に示された空気紡績機のような空気紡績機において使用することができる、１実施例による糸ガイド通路を示す図である。
【図６】１実施例による糸ガイド通路を断面して斜め上から見た図である。
【図７】図６に示された糸ガイド通路を断面して斜め横から見た図である。
【図８】図６および図７に示された糸ガイド通路のような糸ガイド通路を、空気紡績機の作業ユニットに取り付けられた状態で示す図である。
【００５４】
図１には、通常、綾巻きボビン９と呼ばれる巻取りボビンを製造する繊維機械、本実施形態では空気紡績機１が、正面図で概略的に示されている。このような繊維機械１は、機械端部側に配置された機械フレーム１３Ａ，１３Ｂの間に、多数の作業ユニット２を有している。列を成して並んで配置されていて通常同一に形成されているこれらの作業ユニット２は、紡績ユニットとしても公知である。作業ユニット２のそれぞれの作業ユニットには、紡績ケンス３が位置決めされており、この紡績ケンス３は、供給材料を蓄えて、例えばスライバ２５を備えて構成されている。
【００５５】
作業ユニット２は、さらにそれぞれドラフト装置４、空気紡績装置５、糸引出し装置６、糸クリアラ７、および糸綾振り装置８を有しており、糸綾振り装置８は、空気紡績装置５においてスライバ２５から紡績されたもしくは完成した糸３６を、綾巻き状態で巻取りボビン９に巻成するために働く。このとき紡績プロセス中に生じるいわゆる綾巻きボビン９は、それぞれ、通常のように、ボビンフレーム（図示せず）において保持され、かつボビン駆動装置（同様に図示せず）によって回転させられる。
【００５６】
作業ユニット２のそれぞれの作業ユニットは、さらに吸込みノズル３９を備えて構成されていて、この吸込みノズル３９は、完成した糸３６の、紡績中断後に綾巻きボビン９に巻き取られた糸端部３７を回収すること、および糸引出し装置６の領域に配置されたいわゆる糸端部準備装置４０に移送することを可能にする。
【００５７】
空気紡績機１の、図２に示された実施形態が、図１に示された空気紡績機に対して異なっているのは、単に次のことである。すなわち図２に示された空気紡績機１では、紡績ユニット２は、作業ユニット固有の吸込みノズルも、作業ユニット固有の糸端部準備装置も有しておらず、紡績中断後における作業ユニット２での作業は、自動的に作動するいわゆるサービスアセンブリ１０によって手掛けられ、このサービスアセンブリ１０は、レール１１，１２上を案内され、かつ作業ユニット２に沿って走行可能である。すなわち紡績中断の場合にサービスアセンブリ１０は、該当する作業ユニット２に位置決めされていて、その吸込みノズル３９は、紡績中断後に綾巻きボビン９に巻き取られた糸３６の糸端部３７を回収し、かつ回収された糸端部３７を、サービスアセンブリ固有の糸端部準備装置４０に移送する。次いでサービスアセンブリ１０の糸端部準備装置４０において、糸３６の糸端部３７は、後続の糸継ぎ工程（Anspinnvorgang）のために準備される。
【００５８】
しかしながら実施例において図示されていない別の実施形態では、サービスアセンブリの吸込みノズルが、回収された糸を作業ユニット固有の糸端部準備装置に引き渡すことも提案されてよい。
【００５９】
図３には、通常の紡績プロセス中における、好適な実施例による方法を実施するために適した空気紡績装置５が、側面図および拡大図で示されている。
【００６０】
図面から分かるように、断面図で示された空気紡績装置５の上流には、スライバ２５をドラフトするためのドラフト装置４が配置されている。スライバ走行方向Ｒにおいて空気紡績装置５の下流には、個別モータによって反転駆動可能な糸引出し装置６が設置されており、この糸引出し装置６は、完成した糸３６を、巻取りボビン９の方向にかつそれとは逆方向に搬送することができるように作用する。
【００６１】
さらに糸引出し装置６の領域には、図３および図４には示されていない糸準備装置４０が配置されており、この糸準備装置４０は、完成した糸３６の、吸込みノズル３９によって呼び戻された糸端部３７を、後続の糸継ぎ工程のために準備する。
【００６２】
このような糸端部準備装置４０は、原則的に公知であり、かつ例えば独国特許出願公開第３５１８３１６号明細書および独国特許出願公開第１０２０２７８１号明細書にかなり詳しく記載されている。
【００６３】
図５を参照しながら後で詳しく述べるように、このような糸端部準備装置４０は、空気供給可能な保持兼解撚管３１を有している。
【００６４】
図３に示されているように、空気紡績装置５は主として、２部分から成る外側ハウジング１４，１５、拡張ハウジング１６、ノズルブロック１７、スライバガイド１８、および中空の紡績コーン１９から成っている。
【００６５】
このとき拡張ハウジング１６は、外側ハウジングの上流側のハウジング部分１４との関連において、空気圧管路２１を介して正圧源２２に接続されている上流側のリング室２０を形成しており、かつ外側ハウジングの下流側のハウジング部分１５との関連において、拡大室２８を形成している。
【００６６】
拡大室２８が排気通路２９を介して周囲雰囲気に間接的に接続されているのに対して、リング室２０は、ノズルブロック１７に配置されている少なくとも１つの吹出し空気ノズル２３に空気圧的に連通するように接続されている。
【００６７】
このとき吹出し空気ノズル２３は、紡績コーン１９の入口開口３５の領域に接線方向で紡績コーン１９のヘッド２４に向けられていて、紡績コーン１９において回転する空気流が生じるようになっている。紡績コーン１９は、好ましくは高耐摩耗性の材料、例えばテクニカルセラミックス材料から成っている。
【００６８】
圧縮空気供給を制御するために、空気圧管路２１は弁３２を備えており、この弁３２の操作は、好ましくは、相応の制御導線を介して弁に接続されている紡績ユニット固有の制御装置３８によって行われる。
【００６９】
図３に示された、通常の公知の紡績工程中に、それぞれ紡績ケンス３に蓄えられたスライバ２５は、綾巻きボビン９への途中で、まずドラフト装置４を通過し、このドラフト装置４において強くドラフトされる。次いでドラフト装置４の出口ローラ対２６を介して、ドラフトされたスライバ２５は、空気紡績装置５の入口開口２７の領域に移送させられ、かつそこに存在する負圧流の影響下で空気紡績装置５内に吸い込まれる。空気紡績装置５の内部において、ドラフトされたスライバ２５は、スライバガイド１８およびノズルブロック１７を介して、中空の紡績コーン１９の入口開口３５に達し、かつ紡績コーン１９の内部において形成される糸３６によって紡績コーン１９内に引き込まれる。このときスライバ２５は、紡績コーン１９のヘッド２４の領域において、ノズルブロック１７から流出する空気流によって生ぜしめられる回転流の影響を受ける。
【００７０】
圧縮空気源２２によって生ぜしめられたこの空気流の、ノズルブロック１７への確定された供給のために、弁３２が開放されている。紡績プロセス中に、ノズルブロック１７を介して流入する空気流を、排気通路２９を通して周囲雰囲気に、または機械固有の吸込み部に流出できるようにするために、相応の制御導線を介して制御装置３８に接続された弁３４が開放されている。
【００７１】
紡績プロセス中に、スライバ走行方向Ｒにおけるスライバ２５の連続的な移動に基づいて、スライバ２５は、中空の紡績コーン１９内に連続的に引き込まれ、このとき縁部繊維は、スライバ２５の芯繊維の周りに螺旋形状に巻き付けられる。これによって完成した糸３６は、糸引出し装置６を用いて空気紡績装置５から引き出され、次いで綾巻きボビン９に巻き取られる。
【００７２】
紡績プロセス中に、例えばスライバ２５の裂断に基づいて、または既に紡績された糸３６の、糸クリアラ７によるコントロールされた切断に基づいて、紡績中断が発生すると、紡績プロセスの新規スタートの前に、まず糸継ぎ工程を実施しなければならない。
【００７３】
糸継ぎ工程を実施するためには、公知のように、ドラフトされたスライバ２５と、綾巻きボビン９に巻き取られた、既に完成した糸３６とが必要になる。
【００７４】
本発明による方法によれば、実施例の形態では、紡績中断後にまず、例えば該当する作業ユニット２の、作業ユニット固有の吸込みノズル３９によって、既に完成した糸３６の糸端部３７が、綾巻きボビン９から呼び戻され、かつ例えば図５〜図８に示されているように、保持兼解撚管３１を備えた、好ましくはスライバ走行方向Ｒにおいて空気紡績装置５の下流に配置された糸端部準備装置４０に移送させられる。保持兼解撚管３１において糸端部３７は、十分に撚りが解され、かつルーズな繊維が除去される。
【００７５】
図５〜図７から詳細に看取できるように、糸端部準備装置４０はそのために、収容ハウジング４７内に配置された保持兼解撚管３１を有している。収容ハウジング４７は、リング室４６を有しており、このリング室４６には、空気圧管路４１を介して圧縮空気源４２が接続されている。空気圧管路４１内には、弁４３が配置されていて、この弁４３は、制御導線４４を介して、例えば作業ユニット２の、（図５〜図７には図示されていない）制御装置３８に接続されている。保持兼解撚管３１は、リング室４６に接続されている少なくとも１つの吹出しノズル４５を備えている。
【００７６】
自体公知のように、糸は、糸継ぎ工程のためにその糸端部を準備するために、まず保持兼解撚管３１内に導入されねばならない。すなわち吸込みノズル３９によって綾巻きボビン９から呼び戻された糸３６は、吸込みノズル３９において、糸３６が空気圧によって保持兼解撚管３１内に挿通され得るように、糸端部準備装置４０のところで準備される。そのために糸端部準備装置４０は、例えば図５〜図７において示唆されているように、少なくとも１つの切断装置５０と共働することができ、この切断装置５０は、呼び戻された糸３６を必要に応じて所定長さに切断する。切断工程の間、弁４３は駆動制御され、吹出しノズル４５を介して圧縮空気が保持兼解撚管３１内に吹き込まれ、これによって切断された糸端部３７を、保持兼解撚管３１内に空気圧によって挿通すること、もしくは吸い込むことができる。挿通された糸端部３７は、保持兼解撚管３１内において糸撚りが解され、かつ繊維が除去される。必要な場合には、同様にクランプ装置が設けられていてよく、このクランプ装置は、切断工程の前に糸を公知の形式でクランプする。このときクランプ装置は、さらに好適な形式では、切断装置と組み合わせられていてよい。
【００７７】
図５〜図８によってさらに示されているように、糸端部準備装置４０は、糸３６を通過させるための糸ガイド通路６０に連結されており、このとき糸ガイド通路６０は、スライバ走行方向Ｒにおいて空気紡績装置５と糸端部準備装置４０との間で、糸端部準備装置４０に直ぐ隣接して配置されている。スライバ走行方向Ｒは、空気紡績機の、糸３６が空気紡績装置５を用いて紡績される紡績作動時における糸の走行方向と同一である。
【００７８】
図５に示された実施例による糸ガイド通路６０は、通路接続部分６６を介在させて第１の通路部分６２と第２の通路部分６４とを有している。第１の通路部分６２および通路接続部分６６は、ハウジング７０によって収容されている。ハウジング７０は、例えば図８に示されているように、空気紡績機１の作業ユニット２のフレームまたはハウジング１００に糸ガイド通路６０を固定するための固定部分（図示せず）を有している。第２の通路部分６４の第１の端部６４Ａは、Ｏリング８０を介在させてハウジング７０内において密に終端している。第２の通路部分６４の第２の端部６４Ｂは、図５に示された実施例によれば、別のＯリング８０を介在させて糸端部準備装置４０の収容ハウジング４７内において密に終端しており、このとき第２の端部６４Ｂは、保持兼解撚管３１の対応配置された端部に直に接触しており、かつこの端部と共に、糸３６もしくは糸端部３７のための共通の通路貫通部を形成している。
【００７９】
通路接続部分６６は、第１の通路部分６２と第２の通路部分６４との間において糸３６を変向させるための糸変向部分６７を含んでいる。糸変向部分６７は、横断面において円弧状に構成されていて、このとき第２の通路部分６４の、ハウジング７０内に進入していてかつ通路接続部分６６に接続されている第１の端部６４Ａは、横断面において円弧形状の糸変向部分６７を介して、第１の通路部分６２の、通路接続部分６６に結合された第１の端部６２Ａに、空気紡績装置５と糸端部準備装置４０との間において糸３６を通過させるために連結されている。これによって糸ガイド通路６０は、糸走路を部分的に取り囲む部分を形成している。これによってさらに第１の通路部分６２と第２の通路部分６４との間には、１８０°未満の角度、図示の実施例では９０°未満の角度が形成されている。これによって糸ガイド通路６０は、コンパクトに形成可能である。このとき固定部分は、糸ガイド通路６０の、角度を成している側とは反対の側に問題なく設けることができる。
【００８０】
さらにハウジング７０は、例えばインジェクタとして形成された圧縮空気接続部７２のための収容部を含んでおり、このインジェクタを用いて圧縮空気は、流入部６８を介して第１の通路部分６２に、空気正圧を生ぜしめるために供給可能であり、このとき同時に、第２の通路部分６４内において吸込み作用が発生する。流入部６８は、第１の通路部分６２の第１の端部６２Ａに隣接していて、圧縮空気を、特に第１の通路部分６２の糸ガイド軸線に平行に、特に一致するように、かつ第２の通路部分６４の糸ガイド軸線に対して横方向に供給する。このとき糸ガイド軸線は、糸がそれに沿って糸ガイド通路６０内においてもしくはそれぞれの通路部分６２，６４，６６において案内される軸線である。
【００８１】
第１の通路部分６２の第２の端部６２Ｂは、ハウジング７０内に収容されたノズルインサート７４に隣接していて、このノズルインサート７４は、好ましくは破壊なしに交換可能に挿入・取外し可能である。このノズルインサート７４を介して、第１の通路部分６２から圧縮空気によって導かれた糸端部３７は、ノズルインサート７４の出口に対して間隔をおいて反対側に位置しているホッパ入口７６の方向に吹き込まれる。ノズルインサート７４の出口とホッパ入口７６との間の間隔は、１実施例によれば、互いに相対的に変化不能であり、かつ別の実施例によれば特に可変に調節可能であり、これによって糸端部３７を導く圧縮空気の強度を低減させることができる。言い換えれば、糸端部３７を導く圧縮空気の一部分は、ノズルインサート７４の出口とホッパ入口７６との間に形成された中間室において逃げ、これに対して残りの圧縮空気の部分は、糸端部３７をホッパ入口７６内に導く。ホッパ入口７６には、空気紡績装置５の方向においてこの実施例によれば２つの別の糸貫通部７７，７８が、圧縮空気の確定された部分を逃がすためにそれぞれ別の中間室の間に形成されており、その後で糸端部３７は、スライバ走行方向もしくは糸走行方向Ｒとは逆向きに空気紡績装置５内に進入することができる。間に位置している糸貫通部７７，７８を備えたホッパ入口７６は、固定ねじ７９を用いてハウジング７０と空気紡績装置５との間において保持されている。固定ねじ７９を用いて、空気紡績装置５とハウジング７０とは互いに連結されている。特に別の実施例によれば、ホッパ入口７６および／または間に位置している糸貫通部７７，７８の位置は、固定ねじに沿って可変に、必要に応じて調節することができ、これによって個々の部分における逃げる圧縮空気の割合を調節することができる。これらの実施例のうちの１つの実施例による配置形態を用いて、糸もしくは準備された糸端部３７は、丁寧に空気紡績装置５へと導かれることができる。上に述べたように準備されて空気紡績装置５に移送された糸端部３７は、次いで、ドラフト装置４から供給されたスライバ２５に結合される。
【００８２】
このとき、準備された糸端部３７が、図４に示すように、紡績コーン１９の入口開口３５の上流に幾分間隔をおいて空気紡績装置５の内部において位置決めされると、糸端部３７の供給が終了する。糸端部３７が常に整然と位置決めされることを保証するために、糸引出し装置６は、個別モータによって、例えばステップモータを介して駆動されており、このときステップモータは、ステップモータのステップの数の検出を用いて糸引出し装置６が、反転可能に、つまり紡績作動時における糸引出し方向とは逆向きに駆動されるように、駆動制御され、これによって糸端部３７の、確定された必要に応じた戻しを、糸ガイド通路６０内における空気流を伴って、糸引出し装置６から空気紡績装置５に向かう方向に沿って、設定された位置に至るまで生ぜしめることができる。好ましくは、ノズルブロック１７および紡績コーン１９の入口開口３５の領域には、制御装置３８に接続されたセンサが設けられていてよく、このセンサを用いて、糸端部３７の整然とした位置決めをさらに確認することができる。
【００８３】
糸端部３７がその設定された位置に達するや否や、制御装置３８は、ノズルブロック１７に圧縮空気が再び供給されるように、弁３２，３４の切換えを指示する。同時に、同様に個別モータによって駆動されるドラフト装置４および糸引出し装置６が駆動制御され、これによってスライバ２５の自由端部がまず、糸３６の準備された糸端部３７と接触させられ、スライバ２５は、糸３６の準備された糸端部３７と交絡させられ、かつこのとき互いに結合されて、引出し可能な新しい糸が形成され、この糸は、糸引出し装置６を用いて確定されて空気紡績装置５から引き出すことができる。これによって糸継ぎ工程は、通常の紡績プロセスに移行する。
【００８４】
図６および図７には、別の実施例による糸ガイド通路９０が示されている。この糸ガイド通路９０は、図５に示された糸ガイド通路６０とは、構造的に主として流入部９８の配置箇所によって異なっている。詳しく言えば、流入部９８は、図５に示された糸ガイド通路６０との比較において、糸走行方向Ｒにおいて保持兼解撚管３１の上流に位置する部分に配置されている。流入部９８は、糸走行方向Ｒとは逆に向けられたリング間隙の形態で構成されており、これによって吹き込むべき圧縮空気を、空気紡績装置５の方向で、もしくは糸走行方向Ｒとは逆の方向で、糸ガイド通路６０内に導入することができる。流入部９８を含む通路部分は、本発明の意味において、糸ガイド通路９０の通路接続部分９６を形成している。通路接続部分９６は、別のリング室９７を含んでおり、この別のリング室９７は、圧縮空気を供給するために流入部９８に連結されている。リング室９７は、収容ハウジング４７に形成された開口４８を介して別の空気圧管路９２に連結されており、この別の空気圧管路９２は、収容ハウジングの、別の空気圧管路９２のために設けられた収容部４９において開口４８に隣接して終端している。
【００８５】
この実施例では、通路接続部分９６は、保持兼解撚管３１の近傍において、第２の通路部分９４を介在させて配置されている。第２の通路部分９４は、この実施例では、間に配置されたノズルエレメント９３を介して、糸端部３７を通過させるために、保持兼解撚管３１に連結されている。
【００８６】
通路接続部分９６は、第２の通路部分９４とは反対の側において、第１の通路部分９２に隣接している。第１の通路部分９２は、この実施例では結果的に、図５に記載された糸ガイド通路６０の第２の通路部分６４と構造的に同一に構成されている。図示されていない別の実施例によれば、択一的な形式で第１の通路部分９２は、通路接続部分９６と一体に構成されていてよい。
【００８７】
第１の通路部分９２には、空気紡績装置５の方向においてハウジング７０が続いており、このハウジング７０は、図５との関連において説明された、糸変向部分６７およびノズルインサート７４を備えたハウジング７０とほぼ同様に、しかしながら流入部６８および流入部６８に通じるインジェクタ７２なしに形成されている。この関係において、この実施例によるハウジング７０およびノズルインサート７４の構成を見ながら、後続の記載との関連において上に述べた記載が参照される。
【００８８】
図６に明確に示されているように、糸変向部分６７には、カバーエレメント７１によって閉鎖された貫通部が通じており、この貫通部を介して糸変向部分６７、ひいては糸変向部は接近可能である。したがって貫通部を介して、処理すべき糸種類に依存して、種々様々に形成された糸変向部分６７が、ハウジング７０内に挿入可能もしくは交換可能にハウジング７０のために準備されていてよい。別の実施例によれば、ハウジング７０における糸変向部分６７の固定は、カバーエレメント７１を用いて行うことができる。
【００８９】
糸変向部分６７は、この実施例ではほぼ双円錐形に、また公知のようにディアボロ形状として形成されている。この特殊に双円錐形状の構成および糸変向部分６７のそれぞれ他の形状は、案内すべき糸種類に相応して適宜に選択されていてよい。例えば双円錐形状の、糸ガイド面部分に通じる側面は、糸の要求に応じて横断面で見て、凹面状または凸面状の湾曲を有していてよく、またはさらに択一的に横断面で見て直線的に形成されていてよい。糸ガイド面部分の、糸変向方向に対して垂直に延びている幅は、処理すべき糸種類に合わせられて適宜に選択されていてよい。糸変向部を形成する半径もまた、糸種類に合わせられて適宜に選択されていてよい。
【００９０】
ハウジング７０には、空気紡績装置５の方向においてさらに、図５におけるように示されていて図５との関連において説明された形式で、ノズルインサート７４、ホッパ入口７６、および別の糸貫通部７７，７８が続いている。
【００９１】
図８には、図５〜図７に示された糸ガイド通路６０のような糸ガイド通路が、空気紡績機１の作業ユニット２に取り付けられた状態において例示されている。特に、糸ガイド通路６０の変向された構成が、この実施例によればスペースを節減して、作業ユニット２に配置された残りの装置の間に配置可能であることが明らかになる。
【００９２】
糸ガイド通路は、図示されていない実施例によれば、例えば第２の通路部分が保持兼解撚管に組み合わせられていて、保持兼解撚管が第２の通路部分を形成するようにすることによって、さらによりコンパクトに構成可能であり、このとき流入部は、例えばリング間隙の形態で保持兼解撚管の端部に位置決めされる、もしくは保持兼解撚管の端部領域に形成される。これによって圧縮空気を、流入部を介して供給することができ、これにより一方では、吸込みノズル３９を用いて提供された糸端部を吸い込むこと、および糸端部３７を直接準備することもしくは解撚することができ、かつ他方では、準備された糸端部３７を糸ガイド通路６０において空気圧によって導くことができる。これによって糸端部３７の、丁寧な、もしくはほとんど雑ではない準備を達成することができる。さらに、糸端部３７の解撚のためにだけ設けられねばならない圧縮空気接続部を節約することができる。
【００９３】
記載されかつ図面に示された実施例は、単に例として選択されている。種々様々な実施例を、完全に、または個々の特徴に関連して互いに組み合わせることができる。また１実施例を、別の実施例の特徴によって補足することも可能である。例えばハウジングは、旋回ジョイントとして形成されていてよく、これによって糸変向部分を介して形成される角度を、必要に応じて設置現場において、かつ／または設置工程において変更することができる。それとは択一的に、流入部または追加的に別の流入部は、第１の通路部分の領域において、圧縮空気供給が第１の通路部分の糸ガイド軸線に対して横方向に行われるように、配置されかつ構成されていてよい。さらに１実施例によれば、第１の通路部分と第２の通路部分とは、異なった平面において延びていてよく、このように構成されていると、吸込みノズルが、捕捉された糸端部を糸端部準備装置の領域に供給するために、ドラフト装置および第２の通路部分のそばを確実に妨げられずに通過することを保証することができる。
【００９４】
１つの実施例が、第１の特徴と第２の特徴とを「および／または」で結んでいる場合には、この実施例は、１つの実施形態によれば第１の特徴と第２の特徴とを有しており、かつ別の実施形態によれば、単に第１の特徴だけ、または単に第２の特徴だけを有していると理解することができる。
【図１】
2020527197.tif 000003
【図２】
2020527197.tif 000004
【図３】
2020527197.tif 000005
【図４】
2020527197.tif 000006
【図５】
2020527197.tif 000007
【図６】
2020527197.tif 000008
【図７】
2020527197.tif 000009
【図８】
2020527197.tif 000010
【国際調査報告】
2020527197.tif 000011
2020527197.tif 000012
2020527197.tif 000013
2020527197.tif 000014
2020527197.tif 000015
2020527197.tif 000016
2020527197.tif 000017
2020527197.tif 000018
2020527197.tif 000019